(57)【要約】  本開示は、WLAN（Wireless LAN, WaveLAN）における通信環境の変動に対応して、安定した通信を実現することができるようにする送信装置、および送信方法、受信装置、および受信方法、並びに通信システムに関する。送信装置がデータ信号を受信装置に送信するとき、受信装置はフィードバックパラメータ（FP）を含めた応答信号を送信装置に返信する。送信装置は、FPに基づいて受信装置の受信状況が悪く改善が必要な場合、送信電力等を調整して受信装置における受信状況を改善させる。WLANにおける通信システムに適用することができる。
2019150982.tif 000002
【特許請求の範囲】
【請求項１】
データ信号を受信装置に送信する送信部と、
前記データ信号を受信した前記受信装置からの応答信号を、前記データ信号を送信すると同時に受信する受信部と、
前記応答信号に基づいて、前記送信部の送信を制御する送信パラメータを調整する制御部とを含み、
前記送信部は、前記制御部により調整された送信パラメータにより制御されて、前記データ信号を前記受信装置に送信する
送信装置。
【請求項２】
前記制御部は、前記応答信号に基づいて、前記送信パラメータを調整の要否を判定し、前記送信部の送信を制御する送信パラメータを調整する
請求項１に記載の送信装置。
【請求項３】
前記制御部は、前記応答信号に含まれる受信情報に基づいて、前記送信パラメータを調整の要否を判定する
請求項２に記載の送信装置。
【請求項４】
前記制御部は、前記応答信号が自らに宛てられた応答信号である場合、前記応答信号に含まれる受信情報に基づいて、前記受信装置の受信状況を改善させるように、前記送信パラメータを調整する
請求項３に記載の送信装置。
【請求項５】
前記制御部は、前記応答信号が他のネットワークの送信装置に宛てられた応答信号である場合、前記応答信号に含まれる受信情報に基づいて、前記受信装置への干渉による影響を抑制させるように、前記送信パラメータを調整する
請求項３に記載の送信装置。
【請求項６】
前記制御部は、前記応答信号に含まれる前記受信装置における受信動作を中断の有無を示す通知に基づいて、前記送信パラメータの調整の要否を判定し、前記送信部の送信を制御する送信パラメータを調整する
請求項２に記載の送信装置。
【請求項７】
前記送信部は、前記制御部により調整された送信パラメータにより制御されて、前記データ信号を前記受信装置に送信するとき、前記データ信号の先頭から送信し直す
請求項１に記載の送信装置。
【請求項８】
前記送信部は、前記制御部により調整された送信パラメータにより制御されて、前記データ信号を前記受信装置に送信する場合、前記受信装置に対して、送信中の前記データ信号の送信を中断した後、前記データ信号の先頭から送信し直す
請求項７に記載の送信装置。
【請求項９】
前記送信部は、前記受信装置に対して、前記送信中の前記データ信号の送信を中断する場合、前記受信装置に対して、前記送信中の前記データ信号の送信を中断することを事前に通知する
請求項８に記載の送信装置。
【請求項１０】
データ信号を受信装置に送信する送信処理と、
前記データ信号を受信した前記受信装置からの応答信号を、前記データ信号を送信すると同時に受信する受信処理と、
前記応答信号に基づいて、前記送信処理の送信を制御する送信パラメータを調整する制御処理とを含み、
前記送信処理は、前記制御処理により調整された送信パラメータにより制御されて、前記データ信号を前記受信装置に送信する
送信方法。
【請求項１１】
送信装置から送信されるデータ信号を受信する受信部と、
前記受信部による前記データ信号の受信に対する応答信号を、前記データ信号を受信すると同時に送信する送信部と、
前記受信部は、前記送信装置において、前記応答信号に基づいて、調整された送信パラメータで送信が制御された前記データ信号を受信する
受信装置。
【請求項１２】
前記送信部は、前記受信部による前記データ信号の受信に対する応答信号に、前記データ信号が前記受信部において受信されるときの受信情報を含めて、前記データ信号を受信すると同時に送信し、
前記受信部は、前記応答信号に含まれた受信情報に基づいて調整された送信パラメータで送信が制御された前記データ信号を前記送信装置より受信する
請求項１１に記載の受信装置。
【請求項１３】
前記送信部は、前記受信情報として、受信品質、および干渉電力の何れかに係る情報を含む応答信号を送信する
請求項１２に記載の受信装置。
【請求項１４】
前記受信部は、前記データ信号の受信動作を中断させると共に、新たに送信される前記データ信号の先頭部を検索させる
請求項１１に記載の受信装置。
【請求項１５】
前記受信部は、前記送信装置からの、前記データ信号の送信動作の中断の通知に基づいて、前記データ信号の受信動作を中断させると共に、新たに送信される前記データ信号の先頭部を検索させる
請求項１４に記載の受信装置。
【請求項１６】
前記受信部は、前記データ信号の受信状況に基づいて、前記データ信号の受信動作を中断させると共に、新たに送信される前記データ信号の先頭部を検索させる
請求項１４に記載の受信装置。
【請求項１７】
前記送信部は、前記データ信号の受信動作の中断の有無を示す情報を受信情報として含めた応答信号を、前記送信装置に対して送信する
請求項１６に記載の受信装置。
【請求項１８】
前記送信部は、前記受信部による前記データ信号の受信に対する応答信号を、前記データ信号を受信すると同時に送信すると共に、定期的に送信する
請求項１１に記載の受信装置。
【請求項１９】
送信装置から送信されるデータ信号を受信する受信処理と、
前記受信処理による前記データ信号の受信に対する応答信号を、前記データ信号を受信すると同時に送信する送信処理と、
前記受信処理は、前記送信装置において、前記応答信号に基づいて、調整された送信パラメータで送信が制御された前記データ信号を受信する
受信方法。
【請求項２０】
送信装置と受信装置とからなる通信システムにおいて、
前記送信装置は、
データ信号を前記受信装置に送信する第１の送信部と、
前記データ信号を受信した前記受信装置からの応答信号を、前記データ信号を送信すると同時に受信する第１の受信部と、
前記応答信号に基づいて、前記第１の送信部の送信を制御する送信パラメータを調整する制御部とを含み、
前記第１の送信部は、前記制御部により調整された送信パラメータにより制御されて、前記データ信号を前記受信装置に送信し、
前記受信装置は、
前記送信装置から送信されるデータ信号を受信する第２の受信部と、
前記第２の受信部による前記データ信号の受信に対する応答信号を、前記データ信号を受信すると同時に送信する第２の送信部と、
前記第２の受信部は、前記送信装置において、前記応答信号に基づいて、調整された送信パラメータで送信が制御された前記データ信号を受信する
通信システム。
【発明の詳細な説明】
【技術分野】
【０００１】
本開示は、送信装置、および送信方法、受信装置、および受信方法、並びに通信システムに関し、特に、WLAN（Wireless LAN, WaveLAN）における通信環境の変動に対応して、安定した通信を実現できるようにした送信装置、および送信方法、受信装置、および受信方法、並びに通信システムに関する。
【背景技術】
【０００２】
現状IEEE802.11規格では、A-MPDU（Aggregation-MAC Protocol Data Unit）によるパケット送信の仕組みが利用されている。【０００３】
A-MPDU方式では、先頭部（以降において、プリアンブルと称する）にて、受信に必要な同期やパラメータ取得が完了した後、複数のデータ（A-MPDUサブフレーム：以降において、サブフレームと称する）を連結し、１つの大きなデータ（フレーム）として送信することで、パケット通信の高効率化を実現している。【０００４】
また、パケットの送信終了後に受信側からの応答信号(Block Ack)を受け取ることで、複数のサブフレームが正しく受信できたか否かを知ることができる。【０００５】
ところが、A-MPDU方式にて１回のパケット送信に要する時間が長期化するほど、通信環境の変動による影響を受けやすくなり、モビリティ性能が悪化することが考えられる。【０００６】
例えば、パケット送信中に送信機/受信機の少なくとも片方が移動すると、受信電力が低下し、途中からパケットを正しく受信できなくなる可能性が高くなる。更に、隠れ端末等の影響でパケットの衝突が発生した場合も同様に、途中から正しくパケットが受信できなくなる恐れが生じる。【０００７】
このような場合、送信機が送信電力等の送信パラメータを調整するか、衝突させてきた与干渉端末に送信電力等の送信パラメータを調整してもらうかして、通信環境（受信環境）の変動に合わせて良好な受信性能を維持する必要がある。【０００８】
しかしながら、現状の規格では、１回のパケット送信完了後に応答信号を取得して初めて受信側の受信環境情報を知ることができる為、受信環境の変動に追従して送信パラメータを調整することは不可能である。【０００９】
そこで、受信側からデータ信号を正しく受信できているか否かの情報を受け取り、送信を継続するか中断するかを判断する手法が提案されている（特許文献１参照）。
【先行技術文献】
【特許文献】
【００１０】
【特許文献１】特開２０１５−０５０６７４号公報
【発明の概要】
【発明が解決しようとする課題】
【００１１】
しかしながら、特許文献１の技術の判断手法では、単純な送信継続判断のため、例えば、パケット衝突が多発するような、混雑の多い環境下では通信そのものができなくなる恐れがあった。【００１２】
本開示は、このような状況に鑑みてなされたものであり、特に、IEEE802.11で規格化されているWLAN（Wireless LAN, WaveLAN）におけるモビリティ性を向上させ、通信環境の変動に対応して、安定した通信を実現できるようにする。
【課題を解決するための手段】
【００１３】
本開示の第１の側面の送信装置は、データ信号を受信装置に送信する送信部と、前記データ信号を受信した前記受信装置からの応答信号を、前記データ信号を送信すると同時に受信する受信部と、前記応答信号に基づいて、前記送信部の送信を制御する送信パラメータを調整する制御部とを含み、前記送信部は、前記制御部により調整された送信パラメータにより制御されて、前記データ信号を前記受信装置に送信する送信装置である。【００１４】
本開示の第１の側面の送信方法は、データ信号を受信装置に送信する送信処理と、前記データ信号を受信した前記受信装置からの応答信号を、前記データ信号を送信すると同時に受信する受信処理と、前記応答信号に基づいて、前記送信処理の送信を制御する送信パラメータを調整する制御処理とを含み、前記送信処理は、前記制御処理により調整された送信パラメータにより制御されて、前記データ信号を前記受信装置に送信する送信方法である。【００１５】
本開示の第１の側面においては、データ信号が受信装置に送信され、前記データ信号を受信した前記受信装置からの応答信号が、前記データ信号が送信されると同時に受信され、前記応答信号に基づいて、送信を制御する送信パラメータが調整され、調整された送信パラメータにより制御されて、前記データ信号が前記受信装置に送信する送信装置である。【００１６】
本開示の第２の側面の受信装置は、送信装置から送信されるデータ信号を受信する受信部と、前記受信部による前記データ信号の受信に対する応答信号を、前記データ信号を受信すると同時に送信する送信部と、前記受信部は、前記送信装置において、前記応答信号に基づいて、調整された送信パラメータで送信が制御された前記データ信号を受信する受信装置である。【００１７】
本開示の第２の側面の受信方法は、送信装置から送信されるデータ信号を受信する受信処理と、前記受信処理による前記データ信号の受信に対する応答信号を、前記データ信号を受信すると同時に送信する送信処理と、前記受信処理は、前記送信装置において、前記応答信号に基づいて、調整された送信パラメータで送信が制御された前記データ信号を受信する受信方法である。【００１８】
本開示の第２の側面においては、送信装置から送信されるデータ信号が受信され、前記データ信号の受信に対する応答信号が、前記データ信号を受信すると同時に送信され、前記送信装置において、前記応答信号に基づいて、調整された送信パラメータで送信が制御された前記データ信号が受信される。【００１９】
本開示の第３の側面の通信システムは、送信装置と受信装置とからなる通信システムにおいて、前記送信装置は、データ信号を前記受信装置に送信する第１の送信部と、前記データ信号を受信した前記受信装置からの応答信号を、前記データ信号を送信すると同時に受信する第１の受信部と、前記応答信号に基づいて、前記第１の送信部の送信を制御する送信パラメータを調整する制御部とを含み、前記第１の送信部は、前記制御部により調整された送信パラメータにより制御されて、前記データ信号を前記受信装置に送信し、前記受信装置は、前記送信装置から送信されるデータ信号を受信する第２の受信部と、前記第２の受信部による前記データ信号の受信に対する応答信号を、前記データ信号を受信すると同時に送信する第２の送信部と、前記第２の受信部は、前記送信装置において、前記応答信号に基づいて、調整された送信パラメータで送信が制御された前記データ信号を受信する通信システムである。【００２０】
本開示の第３の側面においては、送信装置と受信装置とからなる通信システムであって、前記送信装置により、データ信号が前記受信装置に送信され、前記データ信号を受信した前記受信装置からの応答信号が、前記データ信号が送信されると同時に受信され、前記応答信号に基づいて、送信を制御する送信パラメータが調整され、調整された送信パラメータにより制御されて、前記データ信号が前記受信装置に送信され、送信されるデータ信号が受信され、前記データ信号の受信に対する応答信号が、前記データ信号が受信されると同時に送信され、前記送信装置において、前記応答信号に基づいて、調整された送信パラメータで送信が制御された前記データ信号が受信される。
【発明の効果】
【００２１】
本開示の一側面によれば、特に、WLAN（Wireless LAN, WaveLAN）における通信環境の変動に対応し、安定した通信を実現することが可能となる。
【図面の簡単な説明】
【００２２】
【図１】本開示の概要を説明する図である。
【図２】本開示の通信システムの構成例を説明する図である。
【図３】本開示の通信システムの送信装置の第１の実施の形態の概要を説明する図である。
【図４】本開示の通信システムの受信装置の第１の実施の形態の概要を説明する図である。
【図５】第１の実施の形態の通信システムのシーケンスの例を説明する図である。
【図６】応答信号フレームの第１の実施の形態の構成例を説明する図である。
【図７】中断フレームの構成例を説明する図である。
【図８】図３の送信装置による送信処理を説明するフローチャートである。
【図９】図４の受信装置による受信処理を説明するフローチャートである。
【図１０】第２の実施の形態の通信システムのシーケンスの例を説明する図である。
【図１１】本開示の通信システムの送信装置の第１の実施の形態の概要を説明する図である。
【図１２】本開示の通信システムの受信装置の第１の実施の形態の概要を説明する図である。
【図１３】応答信号フレームの第１の実施の形態の構成例を説明する図である。
【図１４】図１１の送信装置による送信処理を説明するフローチャートである。
【図１５】図１２の受信装置による受信処理を説明するフローチャートである。
【図１６】汎用のパーソナルコンピュータの構成例を説明する図である。
【発明を実施するための形態】
【００２３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２４】
以下、本技術を実施するための形態について説明する。説明は以下の順序で行う。
１．本開示の概要
２．第１の実施の形態
３．第２の実施の形態
４．ソフトウェアにより実行させる例
【００２５】
＜＜１．本開示の概要＞＞
本開示は、IEEE802.11で規格化されているWLAN（Wireless Local Area Network, Wave Local Area Network）におけるモビリティ性を向上させ、受信環境の変動に対応する通信システムに関するものである。
【００２６】
尚、本開示の通信システムについて説明するにあたって、IEEE802.11で規格化されているA-MSDU（Aggregation-MAC Protocol Data Unit）によるパケット送信の仕組みについて説明する。
【００２７】
A-MSDU方式は、IEEE802.11で規格化されている通信方式であり、パケット先頭部（以降において、プリアンブルと称する）にて受信に必要な同期やパラメータの取得が完了した後、複数のデータ（A-MPDUサブフレーム）（以降において、サブフレームと称する）を連結し、１つの大きなデータ（フレーム）として送信することで、パケット通信の高効率化を実現する。
【００２８】
また、パケットの送信終了後に受信側からの応答信号(Block Ack)を受け取ることで、複数のサブフレームが正しく受信できたか否かを知ることができる。
【００２９】
A-MPDU方式の具体的な通信例について、図１のタイミングチャートを参照して説明する。例えば、子機STA(STAtion)からアクセスポイント（基地局）APaに対してデータを送信する通信例の場合、すなわち、子機STAが送信装置として機能し、アクセスポイントAPaが受信装置として機能する場合、図１のタイミングチャートで示されるように通信がなされる。
【００３０】
時刻ｔ０において、子機STAは、プリアンブルＰＡを送信すると、アクセスポイントAPaがプリアンブルＰＡを受信する。このとき、アクセスポイントAPaは、受信したプリアンブルＰＡに含まれる受信に必要な同期やパラメータを取得し、取得した同期やパラメータに基づいて、受信設定を調整して、以降のサブフレームの受信に備える。
【００３１】
時刻ｔ１において、子機STAは、複数のサブフレームのうちの、サブフレームＳｕｂ−Ａ１としてパケットをアクセスポイントAPaに送信する。この時、アクセスポイントAPaは、サブフレームＳｕｂ−Ａ１を受信するとともに、パケットの受信終了後に受信側からの応答信号(Block Ack)Ｒ１を送信する。
【００３２】
以降において、子機STAは、時刻ｔ２乃至ｔ５のそれぞれのタイミングにおいて、順次サブフレームＳｕｂ−Ａ２乃至Ｓｕｂ−Ａ５を送信する。
【００３３】
また、時刻ｔ２乃至ｔ５のそれぞれのタイミングにおいて、アクセスポイントAPaは、それぞれのタイミングにおいて、子機STAより送信されるサブフレームＳｕｂ−Ａ２乃至Ｓｕｂ−Ａ５を受信するとともに、応答信号Ｒ２乃至Ｒ５を送信する。
【００３４】
そして、子機STAは、応答信号Ｒ２乃至Ｒ５を受信し、送信が完了したことを認識する。
【００３５】
A-MPDU方式の通信においては、このように、１個のプリアンブルＰＡに対して、複数のサブフレームを連結して送信することで、パケット通信を効率的に実現している。
【００３６】
しかしながら、この一連の動作がなされる際に、例えば、アクセスポイントAPaとは通信可能であるが、子機STAとは通信不能なアクセスポイントAPbが存在し、図１の下段で示されるように時刻ｔ１１から、例えば、やはりA-MPDU方式で送信を開始すると、図１の中段で示されるように、時刻ｔ１１において、干渉が発生する。尚、図１においては、アクセスポイントAPbが、時刻ｔ１２乃至ｔ１５のそれぞれにおいて、サブフレームＳｕｂ−Ｂ１乃至Ｓｕｂ−Ｂ４を送信していることが表されている。
【００３７】
結果として、アクセスポイントAPbの送信パケットが干渉となることにより、アクセスポイントAPaは、受信環境が劣化し、子機STAの送信パケットを正しく受信できなくなる。
【００３８】
このような状況において、例えば、子機STAがA-MPDU方式にてパケットを送信している場合、送信中に、アクセスポイントAPaの受信環境を改善できるように調整することができれば、アクセスポイントAPaは、正しく受信できるサブフレームの数を増やし、パケット受信成功率を高めることが可能となる。結果として、WLANにおける安定した通信を実現できる。
【００３９】
しかしながら、現状の802.11規格では、このような仕組みは存在せず、図１の場合、アクセスポイントAPaは受信環境が劣悪な状態でも、子機STAからのパケットの受信を継続しなければならず、条件によっては、１つのサブフレームも受信できない可能性もありうる。
【００４０】
そこで、本開示においては、例えば、図１のアクセスポイントAPaが、パケット受信中に、子機STAに対して受信環境が改善するよう送信パラメータの調整を促すよう通知する、または、アクセスポイントAPbに対し短期的に被干渉量が減るよう送信パラメータの調整を促すよう通知する。
【００４１】
この動作を実現する為には、アクセスポイントAPa，APb、および子機STAなどの各無線端末は送信と受信を同時に行う必要がある。更に、無線LANは、例えば、3GPP（Third Generation Partnership Project）と異なり、基地局も基地局以外の無線端末も同一周波数にて同様のチャネルアクセス手順を取らなくてはならないため、3GPPのように周波数の異なる同時送受信システムではなく、データ信号と同一周波数で応答信号を送信できることが望ましい。
【００４２】
従って、本開示においては、全て同一周波数内で送受信が可能な無線端末（全二重通信端末）を用いて、アクセスポイントAPaのようにパケット受信中の無線端末（以降において、受信機とも称する）が、定期的に応答信号を送信する。
【００４３】
ここで、応答信号の中にはフィートバックパラメータ（以降において、FPと称する）として、応答信号に関する情報や受信環境に関する情報が含まれている。
【００４４】
子機STAのようにパケット送信中の無線端末（以下、送信機とも称する）は、受信した応答信号内のFPを見て、受信環境が改善するよう送信パラメータを調整する。
【００４５】
また、アクセスポイントAPbのように受信機に干渉を与えている送信機においても、同様に、受け取った応答信号内のFPを見て、与干渉量が軽減するよう送信パラメータを調整する。これにより、アクセスポイントAPaは、図１で示されるように干渉が発生している状況となっても、パケット受信中に受信環境が改善され、パケット受信の成功率を高めることが可能となる。結果として、安定した通信を実現することができる。
【００４６】
＜＜２．第１の実施の形態＞＞
次に、図２を参照して、本開示の技術を適用した通信システムの第１の実施の形態の構成例について説明する。
【００４７】
図２の通信システムは、アクセスポイントAP1，AP2、および子機SAT1，SAT2より構成される。図２の通信システムにおいては、アクセスポイントAP1と子機STA1とが、アクセスポイントAP1を介して相互に通信可能なネットワークを識別するBSSIDがBSS1であるネットワークに属し、アクセスポイントAP2と子機STA2がBSSID＝BSS2であるネットワークに所属しているものとする。
【００４８】
また、アクセスポイントAP1とアクセスポイントAP2は、相互に信号を検出できるが、アクセスポイントAP1と子機STA2、および、アクセスポイントAP2と子機STA1は、相互に信号を検出することができない位置に存在するものとする。
【００４９】
したがって、図２の通信システムにおいては、アクセスポイントAP1と子機STA1とが、相互にパケットを送受信できるBSS1のネットワークに属しており、アクセスポイントAP2と子機STA2とが、相互にパケットを送受信できるBSS2のネットワークに属しており、さらに、アクセスポイントAP1,AP2が相互に信号が検出できる状態であるものとする。
【００５０】
尚、対象となるシステム構成はこれに限定されるものではなく、接続が確立された複数の通信装置が存在し、それぞれの通信装置の周囲に接続が確立されていない通信装置が存在していれば良く、このような条件が満たされていればその他の位置関係でもよい。
【００５１】
また、以降においては、BSSID＝BSS1に属する子機STA1が、パケットを子機STA1に送信する送信装置として機能し、アクセスポイントAP1が、子機STA1からのパケットを受信する受信装置として機能するものとする。また、BSSID＝BSS2に属するアクセスポイントAP2が、パケットを子機STA2に送信する送信装置として機能するものとする。
【００５２】
ただし、送信装置および受信装置は、現実には、同一の通信装置であり、ここでいう送信装置は、通信装置が、送信モードで動作する場合の装置であり、受信装置は、通信装置が、受信モードで動作する場合の装置である。
【００５３】
＜送信装置の第１の実施の形態の構成例＞
次に、図３を参照して、図２の子機STA1およびアクセスポイントAP2に対応する送信装置の第１の実施の形態の構成例について説明する。
【００５４】
図３の送信装置３１は、制御部５１、データ処理部５２、送信部５３、アンテナ共有部５４、受信部５５、自己干渉キャンセラ部５６、およびアンテナ５７を備えている。
【００５５】
制御部５１は、プロセッサやメモリなどから構成されており、送信装置３１の動作の全体を制御するとともに、送信部５３の送信電力等を調整する送信パラメータを設定する。
【００５６】
データ処理部５２は、通信するデータ信号の処理として、パケットに載せて送信するデータ信号の生成、復調した受信信号からデータ信号の抽出を実行する。
【００５７】
より詳細には、データ処理部５２は、宛先判定部７１、受信環境判定部７２、プリアンブル生成部７３、サブフレーム生成部７４、および与干渉判定部７５を備えている。
【００５８】
宛先判定部７１は、受信装置１３１（図４）より、サブフレーム単位でパケットが受信される度に送信されてくる応答信号が、宛先が自ら（送信装置３１自身）に宛てたものであるか否かを判定する。
【００５９】
受信環境判定部７２は、受信部５５を介して受信装置１３１（図４）からの、自らへ宛てて送信されてきた応答信号に含まれるFP（フィードバックパラメータ：受信情報）に基づいて、受信装置１３１（図４）における受信環境に改善が必要であるか否かを判定し、判定結果を制御部５１に出力する。
【００６０】
プリアンブル生成部７３は、パケットを送信する際にMPDU単位のフレームからなる送信データのプリアンブルを生成し、送信部５３に出力して、受信装置１３１に宛てて送信させる。
【００６１】
サブフレーム生成部７４は、パケットを送信する際にMPDU単位の送信データよりサブフレームを生成し、送信部５３に出力して、受信装置１３１に宛てて送信させる。
【００６２】
サブフレーム生成部７４は、サブフレームの構成をベースとした、中断フレームを生成する。中断フレームは、受信装置１３１（図４）からのFPに基づいて、受信装置１３１の受信環境を改善するために、送信パラメータを調整し直して、新たなMPDU単位のフレームをプリアンブルから送信し直す必要が生じたときに、現状のサブフレームの送信の中断を宣言する信号である。
【００６３】
より詳細には、中段フレームは、サブフレームの構成をベースとした、サブフレームの一種であり、サブフレームに含まれる中段フラグ（Break Flag）が、サブフレームの送信の中断の宣言をするオンの状態（Break Flag==1）とされたときのものである。このように、中断フレームとして機能するサブフレームは、送信データを格納する領域がNULLとされる。
【００６４】
また、サブフレームに含まれる中段フラグ（Break Flag）が、サブフレームの送信の中断を宣言しないオフの状態（Break Flag==0）である時には、併せて送信データも送信されて、通常のサブフレームとして機能する。尚、中断フレームについては、図７を参照して詳細を後述する。
【００６５】
与干渉判定部７５は、受信部５５を介して自らへ宛てたものではない応答信号に含まれるFPに基づいて、自らが応答信号を送ってきた受信装置１３１（図４）に対して与えている干渉の抑制の有無を判定し、判定結果を制御部５１に出力する。
【００６６】
制御部５１は、受信環境判定部７２の判定結果、および与干渉判定部７５の判定結果に基づいて、送信パラメータを設定する。
【００６７】
送信部５３は、データ処理部５２で生成されたデータ信号から送信するパケットを生成し、アンテナ共有部５４を介してアンテナ５７より送信させる。
【００６８】
より詳細には、送信部５３は、アナログ信号変換部９１、およびRF（Radio Frequency）送信部９２を備えている。
【００６９】
アナログ信号変換部９１は、データ処理部５２で生成されたデータ信号をアナログ信号に変換し、RF送信部９２に出力する。
【００７０】
RF送信部９２は、アナログ信号変換部９１で生成されたアナログ信号の周波数変換や電力増幅を行い、アンテナ共有部５４を介して、アンテナ５７から送信信号として送信する。
【００７１】
アンテナ共有部５４は、送信部５３で生成された送信信号を、アンテナ５７を介して、電磁波として放出する。また、アンテナ共有部５４は、アンテナ５７を介し受信した電磁波を受信信号として受信部５５に出力する。
【００７２】
受信部５５は、アンテナ共有部５４を介してアンテナ５７により受信された受信信号からデータ信号を抽出し、データ処理部５２に出力する。
【００７３】
より詳細には、受信部５５は、加算部１０１，１０４、並びに、RF受信部１０２、およびデジタル信号変換部１０３を備えている。
【００７４】
加算部１０１は、アンテナ共有部５４より供給される受信信号と、自己干渉キャンセラ部５６より供給されるキャンセル信号とを加算して、同一周波数帯の電波を使って通信する際のアナログ信号の干渉をキャンセルして、RF受信部１０２に出力する。
【００７５】
RF受信部１０２は、アンテナ５７を介して受信した受信信号の周波数変換や電力増幅を行い、デジタル信号へ変換し易いアナログ信号に変換する。このRF受信部１０２には、LNA (Low Noise Amplifier)が含まれており、LNAは受信強度に応じて、AGC(Auto Gain Control)により利得が制御される。
【００７６】
デジタル信号変換部１０３は、RF受信部１０２より供給されるアナログ信号をデジタル信号に変換して、加算部１０４に出力する。
【００７７】
加算部１０４は、デジタル信号変換部１０３より供給されるデジタル信号に変換された受信信号と、自己干渉キャンセラ部５６より供給されるキャンセル信号とを加算して、同一周波数帯の電波を使って通信する際のデジタル信号の干渉をキャンセルして、データ処理部５２に出力する。
【００７８】
自己干渉キャンセラ部５６は、同一周波数での送信動作と受信動作を行う送信装置に必要な一般的な機能である。送信装置３１が送受信を同時に行う時、自身の送信信号が受信信号の干渉とならぬよう、送信信号をソースに干渉を打ち消す信号を生成し、受信信号に加算する。
【００７９】
より詳細には、自己干渉キャンセラ部５６は、アナログ干渉キャンセラ部１２１、およびデジタル干渉キャンセラ部１２２を備えている。
【００８０】
アナログ干渉キャンセラ部１２１は、RF送信部９２より出力される送信信号より、アナログ信号の干渉を打ち消す信号を生成して、加算部１０１に出力する。
【００８１】
デジタル干渉キャンセラ部１２２は、データ処理部５２より出力される送信信号より、デジタル信号の干渉を打ち消す信号を生成して、加算部１０４に出力する。
【００８２】
尚、ここでは、自己干渉キャンセラ部５６が、アナログ干渉キャンセラ部１２１、およびデジタル干渉キャンセラ部１２２のアナログ信号とデジタル信号の２種類の干渉キャンセラ部を有しているが、干渉抑制特性が十分であればどちらか片方のみとしてもよい。
【００８３】
＜受信装置の第１の実施の形態の構成例＞
次に、図４を参照して、図２のアクセスポイントAP1に対応する受信装置の第１の実施の形態の構成例について説明する。尚、図４の受信装置１３１と図３の送信装置３１の構成は、基本的には同一である。すなわち、図４の受信装置１３１は、制御部１５１、データ処理部１５２、送信部１５３、アンテナ共有部１５４、受信部１５５、自己干渉キャセラ１５６、およびアンテナ１５７を備えているが、それぞれ、制御部１５１、データ処理部１５２、送信部１５３、アンテナ共有部１５４、受信部１５５、自己干渉キャンセラ部１５６、およびアンテナ１５７に対応する。
【００８４】
また、送信部１５３のアナログ信号変換部１９１、およびRF送信部１９２、並びに、受信部１５５の加算部２０１，２０４、RF受信部２０２、およびデジタル信号変換部２０３は、送信部１５３のアナログ信号変換部１９１、およびRF送信部１９２、並びに、受信部１５５の加算部２０１，２０４、RF受信部２０２、およびデジタル信号変換部２０３に対応する。
【００８５】
したがって、受信装置１３１の各構成について、個々の説明は省略するものとする。
【００８６】
ただし、受信装置１３１として機能する場合については、制御部１５１は、送信パラメータを設定しない点と、データ処理部１５２における処理が異なる。そこで、ここでは、データ処理部１５２の機能について説明する。
【００８７】
データ処理部１５２は、中断判定部１７１、FP設定部１７２、および応答信号生成部１７３を備えている。
【００８８】
中断判定部１７１は、受信部１５５を介して供給される、サブフレームにおける中断フラグがオンにされ、中断フレームとして機能しているか否かに基づいて、サブフレームの送信の中段が宣言されたか否かを判定し、判定結果を制御部１５１に出力する。
【００８９】
FP設定部１７２は、受信状況に応じて、FP（フィードバックパラメータ）を設定し、応答信号生成部１７３に供給する。
【００９０】
応答信号生成部１７３は、FPパラメータを含む応答信号を生成して、送信部１５３に出力する。
【００９１】
＜第１の実施の形態の通信システムにおけるシーケンス例＞
次に、図５のタイミングチャートを参照して、第１の実施の形態の通信システムにおけるシーケンス例について説明する。
【００９２】
受信装置１３１として機能するアクセスポイントAP1は、送信装置３１として機能する子機STA1からの送信パケットを受信するとともに、定期的に子機STA1にFPを含む応答信号（ACK/NACK併用）を送信する。
【００９３】
子機STA1およびアクセスポイントAP2は受信した応答信号内のFPに基づいて、アクセスポイントAP1の受信環境の改善が必要か否かを判定し、送信パラメータを調整する。
【００９４】
しかしながら、例えば、子機STA1がパケット送信中に突然新しい送信パラメータを適用しても、アクセスポイントAP1は、その変更に気づかず、パケットを正常に取得できなくなる恐れがある。
【００９５】
より具体的には、受信装置１３１であるアクセスポイントAP1は、プリアンブルを以てLNAのAGCを調整するので、送信装置３１である子機STA1が突然送信電力を変えると設定済のAGCでは正しくパケットを受信できなくなる恐れがある。
【００９６】
また、送信装置３１である子機STA1が変調方式を変更した場合、プリアンブル内に含まれているデータ長情報と一致しなくなり、サブフレームが、どこで区切れるのか認識できない。
【００９７】
従って、送信装置３１である子機STA1が、途中から新しい送信パラメータを適用するためには、パケット送信中に、新たな送信パラメータを反映させたA-MPDU単位のフレームを送信し直す必要がある。
【００９８】
つまり、現状において、送信中のA-MPDU単位のフレームの送信を中断し、新たな送信パラメータを適用して、新たなA-MPDU単位のフレームを再送する。
【００９９】
より具体的には、新たなプリアンブル（以下、新プリアンブル）を送信する必要がある。このため受信装置１３１であるアクセスポイントAP1は、どのタイミングで新プリアンブル（新たなA-MPDU単位のデータ信号）が送信されてくるのかを把握しておかなければならない。
【０１００】
そこで、本開示の送信装置３１は、新プリアンブルを送信する前に、送信装置３１が一旦パケット送信を中断し、新プリアンブルを送信することを示すサブフレーム（以下、中断フレーム）を受信装置１３１に送信する。
【０１０１】
すなわち、送信装置３１である子機STA1は、サブフレームに中断フラグを設定し、サブフレームの送信を中断せず、継続する場合には、中断フラグをオフにして、通常のサブフレームとして送信する。一方、新しい送信パラメータを適用する場合には、送信装置３１である子機STA1は、中断フラグをオンにして中断フレームとしてアクセスポイントAP1に送信する。
【０１０２】
受信装置１３１であるアクセスポイントAP1は、中断フラグを含むサブフレームを受信し、中断フラグがオフの場合には、通常のサブフレームとして受信を継続する。また、受信装置１３１であるアクセスポイントAP1は、受信したサブフレームの中断フラグがオンである場合には、以降においてサブフレームの送信が中断されるので、その後、受信動作を打切り、キャリアセンス動作を開始する。
【０１０３】
これにより、受信装置１３１であるアクセスポイントAP1は、送信装置３１である子機STA1から送られる新プリアンブルを検出することが可能となる。
【０１０４】
すなわち、図５においては、時刻ｔ０において、送信装置３１である子機STA1が、プリアンブルＰ１を送信し、受信装置１３１であるアクセスポイントAP1が受信する。
【０１０５】
その後、時刻ｔ２１において、送信装置３１である子機STA1が、中断フラグがオフのサブフレームＳｕｂ１を送信し、受信装置１３１であるアクセスポイントAP1が受信する。このタイミングにおいては、受信装置１３１であるアクセスポイントAP1は、サブフレームＳｕｂ１における中断フラグはオフであるので、通常のサブフレームとして受信し、次のサブフレームについても通常通り送信されてくることを認識する。
【０１０６】
時刻ｔ２２において、送信装置３１である子機STA1が、中断フラグがオフのサブフレームＳｕｂ２を送信し、受信装置１３１であるアクセスポイントAP1が受信する。このタイミングにおいても、受信装置１３１であるアクセスポイントAP1は、中断フラグがオフであるので、通常のサブフレームとして受信し、次のサブフレームについても通常通り送信されてくることを認識する。
【０１０７】
このとき、受信装置１３１であるアクセスポイントAP1は、直前のサブフレームＳｕｂ１における受信状況を反映した応答信号Ｒ１１を、送信装置３１である子機STA1に送信し、子機STA1が受信する。
【０１０８】
時刻ｔ２３において、送信装置３１である子機STA1が、中断フラグがオフのサブフレームＳｕｂ３を送信し、受信装置１３１であるアクセスポイントAP1が受信する。このタイミングにおいても、受信装置１３１であるアクセスポイントAP1は、中断フラグはオフであるので、通常のサブフレームとして受信し、次のサブフレームについても通常通り送信されてくることを認識する。
【０１０９】
このとき、受信装置１３１であるアクセスポイントAP1は、直前のサブフレームＳｕｂ２における受信状況を反映した応答信号Ｒ１２を、送信装置３１である子機STA1に送信し、子機STA1が受信する。
【０１１０】
時刻ｔ２４において、送信装置３１である子機STA1が、応答信号Ｒ１２のFPを確認して、例えば、送信出力を増強しても問題がないような場合、送信パラメータを変更するために、中断フラグがオンのサブフレームを中断フレームＢＦ１として送信し、受信装置１３１であるアクセスポイントAP1が受信する。
【０１１１】
このタイミングにおいては、受信装置１３１であるアクセスポイントAP1は、サブフレームにおける中断フラグはオンであるので、中断フレームＢＦ１として認識し、以降において、サブフレームの送信が打切られて、新たな送信パラメータによる新たなプリアンブルが送信されてくることを認識する。
【０１１２】
受信装置１３１であるアクセスポイントAP1は、直前のサブフレームＳｕｂ３における受信状況を反映した応答信号Ｒ１３を、送信装置３１である子機STA1に送信する。
【０１１３】
そして、時刻ｔ２５において、送信装置３１である子機STA1が、新たなプリアンブルＰ２を、直前に送信してきた送信出力よりも増強した状態で送信し、受信装置１３１であるアクセスポイントAP1が受信する。また、受信装置１３１であるアクセスポイントAP1は、新たなプリアンブルを検出するためのキャリアセンスを開始する。
【０１１４】
尚、図中のプリアンブルＰ２を示すマスが、直前のサブフレームやプリアンブルよりも矢印方向に大きくなっていることにより、送信出力が増強されていることが表現されている。
【０１１５】
このとき、アクセスポイントAP1は、キャリアセンスにより、新たなプリアンブルＰ２を受信する受信装置１３１であることで、新プリアンブルＰ２内に記載されるデータ長を、取得したTXOP（Transmission Opportunity：連続送信可能時間）内に収まるよう再計算する。また、アクセスポイントAP1は、プリアンブルの情報に基づいて、RF受信部２０２のLNAのAGCを設定する。これにより、新たな出力のサブフレームを適切に受信することが可能となる。
【０１１６】
このような処理により、送信装置３１である子機STA1が、受信装置１３１であるアクセスポイントAP1より供給される応答信号に含まれるFPに基づいて、受信状況に応じて送信パラメータを調整することができるので、通信中に、例えば、受信電力が低下するなどして、途中からパケットを受信できなくなることが抑制されて、安定したパケット通信を実現することができる。また、受信状況に応じて動的に、送信出力を調整することができるので、モバイル機器などによる通信も安定させることが可能となる。
【０１１７】
一方、アクセスポイントAP1のネットワークであるBSS1と異なる、BSS2に属する、アクセスポイントAP2は、時刻ｔ４１よりプリアンブルを送信し、時刻ｔ４２において、中断フラグがオフのサブフレームＳｕｂ１１を送信し、異なるBSSIDである受信装置１３１のアクセスポイントAP1からの応答信号Ｒ１１を受信する。
【０１１８】
また、アクセスポイントAP2は、時刻ｔ４３において、中断フラグがオフのサブフレームＳｕｂ１２を送信し、異なるBSSIDである受信装置１３１のアクセスポイントAP1からの応答信号Ｒ１２を受信する。
【０１１９】
時刻ｔ４４において、送信装置３１であるアクセスポイントAP2が、応答信号Ｒ１２のFPを確認して、例えば、与干渉が大きく送信出力を抑制する必要がある場合、送信パラメータを変更するために、中断フラグがオンのサブフレームを中断フレームＢＦ２として送信し、受信装置１３１である図示せぬ子機STA2が受信する。
【０１２０】
このタイミングにおいては、受信装置１３１である子機STA2は、サブフレームにおける中断フラグはオンであるので、サブフレームの送信が打切られて、新たな送信パラメータによる新たなプリアンブルが送信されてくることを認識する。
【０１２１】
そして、時刻ｔ４５において、送信装置３１であるアクセスポイントAP2が、新たなプリアンブルＰ１２を、直前に送信してきた送信出力よりも抑制した状態で送信し、受信装置１３１であるアクセスポイントAP1の与干渉を低減する。
【０１２２】
尚、図中のプリアンブルＰ１２を示すマスが、直前のサブフレームやプリアンブルよりも矢印方向に小さくなっていることにより、送信出力が抑制されていることが表現されている。
【０１２３】
このような処理により、送信装置３１であるアクセスポイントAP2が、異なるBSSIDの受信装置１３１であるアクセスポイントAP1より供給される応答信号に含まれるFPに基づいて、受信状況に応じて送信パラメータを調整することができるので、与干渉の有無に基づいて、送信出力を抑制することが可能となる。
【０１２４】
これにより、通信中に、干渉により受信電力が低下し、途中からパケットを受信できなくなることが抑制されて、安定したパケット通信を実現することができる。また、干渉を加味した受信状況に応じて動的に、送信出力を調整することができるので、モバイル機器などによる通信も安定させることが可能となる。
【０１２５】
ただし、図５においては、子機STA1、およびアクセスポイントAP2の両方が送信パラメータを調整する例を示しているが、子機STA1、およびアクセスポイントAP2のいずれかが送信パラメータを調整することで、アクセスポイントAP1の受信環境が改善されるときには、いずれか一方のみが送信パラメータを調整することが望ましい。
【０１２６】
例えば、受信装置１３１として機能するアクセスポイントAP1が送信する応答信号を以て、与干渉側である送信装置３１として機能するアクセスポイントAP2が送信電力を下げた場合、送信装置３１である子機STA1は送信パラメータを調整せずそのままパケット送信を続けてよい。逆に、与干渉側の送信装置３１であるアクセスポイントAP2が送信電力の調整を行わない場合、子機STA1は送信電力を上げる等して受信環境を改善しなければならない。
【０１２７】
＜第１の実施の形態における応答信号の構成例＞
次に、図６を参照して、第１の実施の形態における応答信号（応答信号フレーム）の構成例について説明する。
【０１２８】
応答信号は、IEEE802.11a規格にて定義されている制御フレームに、新たなフレームフォーマット（新たなFrame Control番号）を定義することを想定している。
【０１２９】
図６の上段は、応答信号のフォーマットの全体を表しており、下段は、FP（フィートバックパラメータ）におけるフォーマットを表している。
【０１３０】
図６の上段で示されるように、応答信号フレームは、Frame Control、Duration、RA(Receiver Address)、FP(Feedback Parameter)、およびFCS(Frame Check Sequence)から構成されている。
【０１３１】
Frame Controlは、２バイト分のフレーム番号のデータであり、フレーム番号によりフレームの種別を識別する情報を格納しており、少なくとも、ACK、FPを含めたNACKを識別することができる。
【０１３２】
Durationは、２バイト分のデータであり、無線回線を使用する予定期間である。
【０１３３】
RA(Receiver Address)は、６バイト分のデータであり、受信装置のアドレスである。
【０１３４】
FP(Feedback Parameter)は、３バイト分のデータであり、フィードバックパラメータである。
【０１３５】
FCS(Frame Check Sequence)は、４バイト分のデータであり、誤り訂正検出部である。
【０１３６】
また、図６の下段で示される、FP内の情報は、応答信号に関する情報（応答信号情報）、および受信環境に関する情報（受信環境情報）が含まれていればよく、本実施例に限定されるものではない。
【０１３７】
より詳細には、FP内には、BSSID、送信電力レベル、SINR、目標SINR、干渉電力レベル、および受信パケット優先度の情報が含まれる。
【０１３８】
BSSIDは、BSS毎の識別子である。
【０１３９】
送信電力レベルは、応答信号の送信電力情報である。
【０１４０】
SINRは、受信中パケットにおける直近のSINR(Signal to Interference and Noise Ratio)情報である。例えば、ACK/NACKの場合、受信したサブフレームのSINR情報である。
【０１４１】
目標SINRは、受信中のパケットを正しく復調するのに必要なSINR情報である。
【０１４２】
干渉電力レベルは、受信中パケット以外に受けている干渉波の受信電力合計である。
【０１４３】
受信パケット優先度は、受信中パケットのAC（Access Category）情報である。
【０１４４】
尚、応答信号は、ACK/NACKと併用し、サブフレーム毎に送信することを想定しているが、これに限るものではなく、例えば、複数サブフレーム毎に応答信号をBlock Ackと併用して送信しても良いし、サブフレーム受信タイミングによらず定期的に応答信号を送信しても良い。
【０１４５】
＜中断フレームの構成例＞
次に、図７を参照して、送信装置３１が新プリアンブルを送信開始する前に受信装置１３１に送信する中断フレームの構成例について説明する。
【０１４６】
本開示の中断フレームは、IEEE802.11n規格にて定義されているA-MPDUサブフレームの構成をベースとしており、MPDU Delimiter内にBreak Flagが設けられていることを特徴とする。
【０１４７】
中断フレームは、図７の上段で示されるように、４バイトのMPDUデリミタ、可変長のNULL、および０乃至３バイトのpaddingより構成される。MPDUデリミタは、中断フレームにおけるヘッダに相当する。また、可変長であるNULLは、オリジナルのサブフレームにおいて、送信データが格納される領域である。
【０１４８】
MPDUデリミタは、図７の下段で示されるように、１ビットのEOF、１ビットのBreak Flag、１４ビットのMPDU length、８ビットのCRC、および８ビットのDelimiter Signatureから構成される。
【０１４９】
このうち、Break Flagが中断フレームであり、1が設定されるとき、サブフレームの送信の中断が設定され、0が設定されるとき、サブフレームの送信が継続される。
【０１５０】
受信装置１３１は、従来通りA-MPDUサブフレームの受信を開始した際、MPDU Delimiter内のBreak Flagが”1”であった場合、この信号がサブフレームのうちの中断フレームであると認識し、MPDU lengthに記載されているデータ長分の受信が完了した後、受信動作を打切りキャリアセンス動作に移る。
【０１５１】
中断フレームにおいては、通常のA-MPDUサブフレームにてデータ情報が含まれる箇所がNULLとされており、NULLの情報が利用されて、受信装置１３１がキャリアセンス動作に移るまでの準備期間を設けることができる。
【０１５２】
通常のA-MPDUサブフレームでは、NULLに相当する箇所にデータ情報が格納されており、Break Flagが”0”とされる。すなわち、中断フレームは、サブフレームの一種であり、サブフレームのうち、中段フラグが1に設定され、データ情報がNULLにされたものである。
【０１５３】
なお、MPDU Delimiter内のBreak Flag以外の構成については、通常のサブフレームと同様の構成であるので、その説明は省略する。
【０１５４】
＜第１の実施の形態における送信装置の送信処理＞
次に、図８のフローチャートを参照して、第１の実施の形態における送信装置の送信処理について説明する。
【０１５５】
ステップＳ１１において、制御部５１は、データ処理部５２を制御して、プリアンブルを生成させて、送信部５３より、アンテナ５７を介して、受信装置１３１に送信させる。より詳細には、データ処理部５２のプリアンブル生成部７３は、プリアンブルを生成して、送信部５３より、アンテナ５７を介して、受信装置１３１に送信させる。
【０１５６】
ステップＳ１２において、制御部５１は、データ処理部５２を制御して、サブフレームを生成させて、送信部５３より、アンテナ５７を介して、受信装置１３１に送信させる。より詳細には、データ処理部５２のサブフレーム生成部７４は、中断フラグBreak Flag==0のサブフレームを中断しないことを示す、通常のサブフレームを生成して、送信部５３より、アンテナ５７を介して、受信装置１３１に送信させる。
【０１５７】
ステップＳ１３において、データ処理部５２は、受信部５５を制御して、サブフレームの送信に伴って、受信装置１３１より送信されてくる、サブフレームを受信したときの受信状況に応じたFPを含む応答信号を受信させる。
【０１５８】
ステップＳ１４において、データ処理部５２は、宛先判定部７１を制御して、受信した応答信号のFP内のBSSIDに基づいて、自らの属するBSSと同一のものであるか否かを判定する。ステップＳ１４において、自らの属するBSSと同一であると判定された場合、処理は、ステップＳ１５に進む。
【０１５９】
ステップＳ１５において、データ処理部５２は、宛先判定部７１を制御して、受信した応答信号の受信装置１３１のアドレスの情報（RA）に基づいて、応答信号が自ら宛てであるのか否かを判定する。
【０１６０】
ステップＳ１５において、応答信号が自ら宛てであると判定された場合、処理は、ステップＳ１６に進む。
【０１６１】
ステップＳ１６において、制御部５１は、データ処理部５２における受信環境判定部７２を制御して、応答信号におけるFP内の情報に基づいて、受信環境を改善する必要があるか否かを判定する。より具体的には、受信環境判定部７２は、例えば、FP内のSINR情報が目標SINR情報を大きく下回っているか否か、または送信したサブフレームの受信失敗回数が一定閾値を超えたか否かなどに基づいて、受信環境を改善する必要があるか否かを判定する。
【０１６２】
ステップＳ１６において、受信環境の改善が不要であると判定された場合、処理は、ステップＳ１７に進む。
【０１６３】
ステップＳ１７において、制御部５１は、データ処理部５２を制御して、サブフレームを生成させて、送信部５３より、アンテナ５７を介して、受信装置１３１に送信させる。より詳細には、データ処理部５２のサブフレーム生成部７４は、中断フラグBreak Flag==0（中断フラグがオフ）のサブフレームの送信を中断しないことを示す、通常のサブフレームを生成して、送信部５３より、アンテナ５７を介して、受信装置１３１に送信させる。
【０１６４】
ステップＳ１８において、制御部５１は、処理の終了が指示されたか否かを判定し、終了が指示された場合、処理は終了する。
【０１６５】
また、ステップＳ１８において、終了が指示されていない場合、処理は、ステップＳ１３に戻る。
【０１６６】
一方、ステップＳ１６において、受信環境の改善が必要であると判定された場合、処理は、ステップＳ１９に進む。
【０１６７】
ステップＳ１９において、制御部５１は、データ処理部５２を制御して、中断フラグBreak Flag==1のサブフレームを生成させて、送信部５３より、アンテナ５７を介して、受信装置１３１に送信させる。より詳細には、データ処理部５２のサブフレーム生成部７４は、中断フラグBreak Flag==1（中断フラグがオン）のサブフレームの送信を中断することを示すサブフレームを、中断フレームとして生成し、送信部５３よりアンテナ５７を介して、受信装置１３１に送信させる。
【０１６８】
ステップＳ２０において、制御部５１は、応答信号に含まれるFPに基づいて、送信パラメータを調整し、受信装置１３１において、正しくパケットが受信できるよう、例えば、送信部５３の送信電力や変調方式を調整する。
【０１６９】
ステップＳ２１において、制御部５１は、データ処理部５２を制御して、新プリアンブルを生成させて、送信部５３より、アンテナ５７を介して、受信装置１３１に送信させる。より詳細には、データ処理部５２のプリアンブル生成部７３は、新プリアンブルを生成して、送信部５３より、アンテナ５７を介して、受信装置１３１に送信させる。新プリアンブルには、受信装置１３１の受信部１５５におけるLNAのAGCを制御する情報が含まれる。
【０１７０】
また、ステップＳ１５において、応答信号が自らの属するBSSであるが、自ら宛てではないと判定された場合、処理は、ステップＳ２２に進む。
【０１７１】
ステップＳ２２において、制御部５１は、応答信号が自らの属するBSSであるが、自ら宛てではない場合、自らの送信する送信パケットにより衝突が発生しているものとみなし、送信動作を停止させる。
【０１７２】
さらに、ステップＳ１４において、応答信号が自らの属するBSS宛てのものではないと判定された場合、処理は、ステップＳ２３に進む。
【０１７３】
ステップＳ２３において、制御部５１は、データ処理部５２を制御して、送信されてきた自らのBSS以外のBSSに属する受信装置１３１における受信状況を応答信号に含まれるFPより認識し、与干渉量が所定値よりも大きく、与干渉量を抑制するために出力を抑制する必要があるか否かを判定させる。より詳細には、データ処理部５２の与干渉判定部７５は、送信されてきた自らのBSS以外のBSSに属する受信装置１３１における受信状況を応答信号に含まれるFPより、BSS以外のBSSに属する受信装置１３１に与えている与干渉量の抑制が必要か否かを判定する。
【０１７４】
より具体的には、与干渉判定部７５は、自身が受信装置１３１へ与えている干渉レベル（=[送信部の送信電力] - [送信電力レベル情報] + [応答信号の受信レベル]）と、受信装置１３１の許容干渉レベル（= [干渉電力レベル情報] + [SINR情報] - [目標SINR情報]）の差が所定の閾値よりも大きいか否かに基づいて判定する。また、与干渉判定部７５は、受信パケット優先度情報と比較し、自身が送信しているパケットよりも優先度が高いか否かに基づいて判定するようにしてもよい。
【０１７５】
ステップＳ２３において、与干渉量の抑制が必要であると判定された場合、処理は、ステップＳ１９に進み、受信環境の改善を図る場合と同様に送信電力を調整する。
【０１７６】
また、ステップＳ２３において、与干渉量の抑制が必要ではないと判定された場合、処理は、ステップＳ１８に進む。
【０１７７】
以上の処理により、送信装置３１は、受信装置１３１からのサブフレームが受信される毎に送信されてくる応答信号に基づいて、受信状況に応じて、受信環境を改善する必要があるか、または、与干渉量を抑制する必要があるか否かを判定するようにした。そして、送信装置３１が、受信環境の改善や与干渉量の抑制が必要であると判定した場合には、サブフレームの送信の中断を示す中断フレームを受信装置１３１に送信して、受信装置１３１に、サブフレームの送信が中断されることを認識させた上で、サブフレームの送信を中断し、受信環境の改善や与干渉量の抑制するための送信パラメータを変更した後、新たなプリアンブルから送信し直すようにした。
【０１７８】
結果として、受信装置１３１の受信環境が悪化した場合や、与干渉量が大きな場合については、送信装置３１の送信出力を適切に改善することで、安定した通信を実現することが可能となる。また、動的に変化させることが可能であるので、モバイル機器による通信においても安定した通信を実現することが可能となる。
【０１７９】
＜第１の実施の形態における受信装置の受信処理＞
次に、図９のフローチャートを参照して、第１の実施の形態における受信装置の受信処理について説明する。
【０１８０】
ステップＳ５１において、制御部１５１は、受信部１５５よりアンテナ１５７を介して、プリアンブルを探索するキャリアセンスを開始させる。
【０１８１】
ステップＳ５２において、制御部１５１は、受信部１５５よりアンテナ１５７を介して、プリアンブルを受信する。この処理により、制御部１５１は、プリアンブルに含まれる情報に基づいて、受信部１５５におけるRF受信部２０２に含まれるLNA(Low Noise Amplifier)のAGC(Auto Gain Control)を調整する。
【０１８２】
ステップＳ５３において、制御部１５１は、受信部１５５よりアンテナ１５７を介して、新たなサブフレームを受信し、さらに、サブフレームにおけるMPDUデリミタを読み出す。
【０１８３】
ステップＳ５４において、制御部１５１は、データ処理部１５２を制御して、MPDUデリミタ内の中断フラグがオフにされている（Break Flag==0）か否かを判定させる。より詳細には、データ処理部１５２の中断判定部１７１は、MPDUデリミタ内の中断フラグがオフにされている（Break Flag==0）か否かを判定する。
【０１８４】
ステップＳ５４において、中断フラグがオフにされている（Break Flag==0）と判定された場合、すなわち、通常のサブフレームである場合、処理は、ステップＳ５５に進む。
【０１８５】
ステップＳ５５において、制御部１５１は、受信部１５５を制御して、サブフレーム内のデータ信号を受信させる。
【０１８６】
ステップＳ５６において、制御部１５１は、データ処理部１５２を制御して、FPを設定させる。より詳細には、データ処理部１５２のFP設定部１７２は、受信状況に応じて、FP（フィードバックパラメータ）を設定し、応答信号生成部１７３に供給する。
【０１８７】
ステップＳ５７において、制御部１５１は、データ処理部５２を制御して、FPを含む応答信号を生成させ、送信部１５３を介して、送信装置３１に送信させる。より詳細には、データ処理部５２の応答信号生成部１７３は、FPを含む応答信号を生成し、送信部１５３を介して、送信装置３１に送信させる。
【０１８８】
ステップＳ５８において、処理の終了が指示されたか否かが判定され、処理の終了が指示された場合、処理は終了し、処理の終了が指示されていない場合、処理は、ステップＳ５３に戻る。
【０１８９】
一方、ステップＳ５４において、中断フラグがオンにされている（Break Flag==1）と判定された場合、すなわち、サブフレームが中断フレームであった場合、処理は、ステップＳ５９に進む。
【０１９０】
ステップＳ５９において、制御部１５１は、中断フラグがオンにされている（Break Flag==1）サブフレーム、すなわち、中断フレームにおけるデータ信号部のNULL分だけ処理を待機させる。
【０１９１】
ステップＳ６０において、制御部１５１は、受信部１５５を制御して、サブフレームの受信を打切らせる。
【０１９２】
ステップＳ６１において、制御部１５１は、受信部１５５を制御して、新プリアンブルを探索するキャリアセンスを開始させる。
【０１９３】
ステップＳ６２において、制御部１５１は、受信部１５５を制御して、新プリアンブルを受信させる。
【０１９４】
以上の処理により、受信装置１３１は、自らのサブフレームの受信状況を、FPを含めた応答信号として、送信装置３１に送信することが可能となる。この結果、送信装置３１において、受信状況を判定することが可能となり、送信装置３１より受信状況の改善がなされる場合、サブフレームに含まれる中断フラグに基づいて、サブフレームの受信打切りを認識するとともに、新たなプリアンブルを探索することが可能となる。
【０１９５】
結果として、受信装置１３１の受信環境が悪化した場合については、送信装置３１において、送信出力を適切に改善することが可能となるので、安定した通信を実現することが可能となる。また、動的に変化させることが可能であるので、モバイル機器による通信においても安定した通信を実現することが可能となる。
【０１９６】
＜＜３．第２の実施の形態＞＞
以上においては、送信装置３１が受信装置１３１の受信環境に基づいて、送信パラメータを調整するか否かを判定し、受信環境を改善させるため、今現在送信中のサブフレームの送信を中断し、受信環境を改善して、新プリアンブルから送信し直す必要があった。このため、受信装置１３１に新プリアンブルを送信することを通知すべく中断フレームを送信する必要があった。
【０１９７】
しかしながら、受信装置１３１の受信環境が非常に悪い場合、受信装置１３１は、送信装置３１から中断フレームも正しく受信できるとは限らず、受信装置１３１はどのタイミングで新プリアンブルが送信されてくるか分からなくなることが想定される。
【０１９８】
そこで、例えば、受信装置１３１が受信環境の改善が必要か否かを自身で判定し、送信装置３１に送信パラメータの調整を依頼するようにしてもよい。
【０１９９】
＜第２の実施の形態の通信システムにおけるシーケンスの例＞
次に、図１０のタイミングチャートを参照して、受信装置１３１が受信環境の改善が必要か否かを自身で判定し、送信装置３１に送信パラメータの調整を依頼するようにした、第２の実施の形態の通信システムにおけるシーケンス例について説明する。
【０２００】
すなわち、受信装置１３１が受信環境の改善が必要か否かを自身で判定し、送信装置３１に送信パラメータの調整を依頼する場合、そのシーケンスは、例えば、図１０で示されるようなシーケンスとなる。
【０２０１】
時刻ｔ０において、送信装置３１である子機STA1が、プリアンブルＰ３１を送信し、受信装置１３１であるアクセスポイントAP1が受信する。
【０２０２】
その後、時刻ｔ１０１において、送信装置３１である子機STA1が、中断フラグがオフのサブフレームＳｕｂ３１を送信し、受信装置１３１であるアクセスポイントAP1が受信する。このタイミングにおいては、受信装置１３１であるアクセスポイントAP1は、サブフレームＳｕｂ１における中断フラグはオフであるので、通常のサブフレームとして受信し、次のサブフレームについても通常通り送信されてくることを認識する。
【０２０３】
時刻ｔ１０２において、送信装置３１である子機STA1が、中断フラグがオフのサブフレームＳｕｂ３２を送信し、受信装置１３１であるアクセスポイントAP1が受信する。このタイミングにおいても、受信装置１３１であるアクセスポイントAP1は、中断フラグがオフであるので、通常のサブフレームとして受信し、次のサブフレームについても通常通り送信されてくることを認識する。
【０２０４】
また、このとき、受信装置１３１であるアクセスポイントAP1は、直前のサブフレームＳｕｂ３１における受信状況に基づいて、受信環境を改善する必要があるか否かを判定し、不要である場合については、受信環境を反映した応答信号Ｒ３１を、送信装置３１である子機STA1に送信し、子機STA1が受信する。ただし、応答信号Ｒ３１には、受信環境の改善が必要であることを示す情報は含まれていないものとする。
【０２０５】
時刻ｔ１０３において、送信装置３１である子機STA1が、中断フラグがオフのサブフレームＳｕｂ３３を送信し、受信装置１３１であるアクセスポイントAP1が受信する。このタイミングにおいても、受信装置１３１であるアクセスポイントAP1は、中断フラグはオフであるので、通常のサブフレームとして受信し、次のサブフレームについても通常通り送信されてくることを認識する。
【０２０６】
このとき、受信装置１３１であるアクセスポイントAP1は、直前のサブフレームＳｕｂ３２における受信状況に基づいて、受信環境を改善する必要があるか否かを判定し、不要である場合については、受信環境を反映した応答信号Ｒ３２を、送信装置３１である子機STA1に送信し、子機STA1が受信する。ただし、応答信号Ｒ３２には、受信環境の改善が必要であることを示す情報は含まれていないものとする。
【０２０７】
時刻ｔ１０４において、送信装置３１である子機STA1が、中断フラグがオフのサブフレームＳｕｂ３４を送信するとき、受信装置１３１であるアクセスポイントAP1は、中断フラグはオフであるので、通常のサブフレームとして受信し、次のサブフレームについても通常通り送信されてくることを認識する。
【０２０８】
しかしながら、例えば、このとき、受信装置１３１であるアクセスポイントAP1は、直前のサブフレームＳｕｂ３３における受信状況に基づいて、受信環境を改善する必要がある場合については、受信環境の改善を要求するとともに、サブフレームの受信を打切ることを示す信号を含めた応答信号Ｒ３３を、送信装置３１である子機STA1、およびアクセスポイントAP2に送信し、子機STA1およびアクセスポイントAP2に受信させる。また、受信装置１３１であるアクセスポイントAP1は、応答信号Ｒ３３を送信してから、所定の時間経過した後、サブフレームＳｕｂ３４の受信を打切る。
【０２０９】
一方、子機STA1およびアクセスポイントAP2は、応答信号Ｒ３３に含まれるFPに基づいて、受信環境を改善させる、または、与干渉量を抑制するように送信パラメータを調整し、時刻ｔ１０５（＝ｔ１２５）において、それぞれプリアンブルＰ３２，Ｐ４２を出力する。
【０２１０】
以上のシーケンスにより、受信装置１３１が、受信環境の改善の要否を判定し、改善が必要な場合、改善の要求と、サブフレームの受信を打切ることを送信装置３１に通知して、受信環境の改善を実現することができる。
【０２１１】
結果として、第１の実施の形態における、中断フレームも正しく受信できなくなるような状況でも、自らのタイミングで新プリアンブルが送信されてくるタイミングを認識することができるので、受信装置１３１の受信環境が悪くても、受信環境を改善しつつ、送信装置３１による送信パラメータの調整しながら安定した通信を実現することが可能となる。
【０２１２】
＜送信装置の第２の実施の形態の構成例＞
次に、図１１を参照して、送信装置３１の第２の実施の形態の構成例について説明する。尚、図１１の送信装置３１において、図３の送信装置３１と同一の機能を備えた構成については、同一の符号を付しており、その説明は適宜省略する。
【０２１３】
すなわち、図１１の送信装置３１において、図３の送信装置３１と異なるのは、データ処理部５２において、受信環境判定部７２に変えて、打切り判定部３０１が設けられた点である。
【０２１４】
打切り判定部３０１は、受信装置１３１より供給される応答信号に含まれるFPに、新たに設けられる受信打切りフラグがオンまたはオフに設定されているか否かに基づいて、受信装置１３１が、サブフレームの受信を打切るか否かを判定する。
【０２１５】
尚、応答信号に含まれるFPに、新たに設けられる受信打切りフラグについては、図１３を参照して詳細を後述する。
【０２１６】
＜受信装置の第２の実施の形態の構成例＞
次に、図１２を参照して、受信装置１３１の第２の実施の形態の構成例について説明する。尚、図１２の受信装置１３１において、図４の受信装置１３１と同一の機能を備えた構成については、同一の符号を付しており、その説明は適宜省略する。
【０２１７】
すなわち、図１２の受信装置１３１において、図４の受信装置１３１と異なるのは、FP設定部１７２、および応答信号生成部１７３に代えて、FP設定部３１１、および応答信号生成部３１２が設けられ、受信環境判定部３１３が新たに設けられた点である。
【０２１８】
FP設定部３１１、および応答信号生成部３１２は、基本的な機能は、FP設定部１７２、および応答信号生成部１７３と同様であるが、FPに新たに受信打切りフラグが設けられたため、受信打切りフラグを設定し、応答信号に反映させる点が異なる。
【０２１９】
受信環境判定部３１３は、基本的な機能は図３の送信装置３１に設けられていた受信環境判定部７２と同様であるが、受信装置１３１において自ら求められたFPに基づいて、サブフレームの受信の打切りの有無を判定する。
【０２２０】
＜第２の実施の形態における応答信号フレームの構成例＞
次に、図１３を参照して、第２の実施の形態における応答信号フレームの構成例について説明する。
【０２２１】
尚、図１３の応答信号フレームは、基本的に図６を参照して説明した応答信号フレームと類似しているが、さらに、受信打切りフラグが設けられた点で異なる。
【０２２２】
受信打切りフラグは、図１３の下段の右部で示されるように、１ビットの情報として設けられ、サブフレームの受信打切りが設定される場合、1が設定され、受信打切りではない場合、0が設定される。
【０２２３】
７ビットの残りLengthは受信打切りフラグが１に設定されて、受信装置１３１において、サブフレームの受信が打ち切られるとき、サブフレームの受信が打切られた後、新たにプリアンブルのキャリアセンスを開始するまでの時間が記録される。
【０２２４】
＜第２の実施の形態における送信装置の送信処理＞
次に、図１４のフローチャートを参照して、第２の実施の形態における送信装置の送信処理について説明する。尚、図１４のフローチャートにおいて、ステップＳ１１１乃至Ｓ１１５、Ｓ１１７、Ｓ１２０乃至Ｓ１２３の処理は、図８のフローチャートを参照して説明したステップＳ１１乃至Ｓ１５、Ｓ１７、Ｓ２０乃至Ｓ２３処理と同様であるので、その説明は省略する。
【０２２５】
すなわち、ステップＳ１１５において、応答信号が、自ら宛てであった場合、処理は、ステップＳ１１６に進む。
【０２２６】
ステップＳ１１６において、制御部５１は、データ処理部５２を制御して、打切りフラグが１に設定されて、サブフレームの受信の打切りが設定されているか否かを判定させる。より詳細には、データ処理部５２の打切り判定部３０１が、受信した応答信号のFPにおける打切りフラグが１に設定されて、サブフレームの受信の打切りが設定されているか否かを判定する。
【０２２７】
ステップＳ１１６において、サブフレームの受信の打切りが設定されている場合、処理は、ステップＳ１１９に進む。
【０２２８】
ステップＳ１１９において、制御部５１は、残りLengthに対応する時間だけ、すなわち、受信装置１３１がサブフレームの受信を打切ったときからの、残りLengthに対応する時間が経過した後、送信部５３を制御して、送信中のサブフレームの送信を停止させる。
【０２２９】
ステップＳ１２０において、制御部５１は、FPに基づいて、送信パラメータを調整し、受信装置１３１において、正しくパケットが受信できるよう、例えば、送信電力や変調方式を調整する。
【０２３０】
ステップＳ１２１において、制御部５１は、データ処理部５２を制御して、新プリアンブルを生成させて、送信部５３より、アンテナ５７を介して、受信装置１３１に送信させる。より詳細には、データ処理部５２のプリアンブル生成部７３は、新プリアンブルを生成して、送信部５３より、アンテナ５７を介して、受信装置１３１に送信させる。
【０２３１】
また、ステップＳ１２３において、与干渉量の抑制が必要であると判定された場合、処理は、ステップＳ１２４に進む。
【０２３２】
ステップＳ１２４において、制御部５１は、データ処理部５２を制御して、中断フラグBreak Flag==1のサブフレームを生成させて、送信部５３より、アンテナ５７を介して、受信装置１３１に送信させる。より詳細には、データ処理部５２のサブフレーム生成部７４は、中断フラグBreak Flag==1（中断フラグがオン）のサブフレームの送信を中断することを示すサブフレームを生成して、中断フレームとして送信部５３より、アンテナ５７を介して、受信装置１３１に送信させる。
【０２３３】
尚、他BSSの送信装置３１宛の応答信号を受信した際、与干渉量抑制の判断基準として、受信打切りフラグや残りLength情報を用いても良い。例えば、自身が受信装置１３１へ与えている干渉レベルと受信装置１３１の許容干渉レベルの差が所定値以上であり、かつ、受信パケット優先度情報が自身の送信しているパケットの優先度が高かったとしても、受信打切りフラグが”1”であり、残りLength情報が示す受信打切りタイミングが次のサブフレーム送信中であった場合、受信装置１３１は送信パラメータの調整を行わないと判定するようにしてもよい。
【０２３４】
＜第２の実施の形態における受信装置の受信処理＞
次に、図１５のフローチャートを参照して、第２の実施の形態における受信装置の受信処理について説明する。
【０２３５】
尚、図１５のフローチャートにおいて、ステップＳ１５１乃至Ｓ１５５およびステップＳ１６５乃至Ｓ１６８の処理は、図９のフローチャートを参照して説明したステップＳ５１乃至Ｓ５５、およびステップＳ５９乃至Ｓ６２の処理と同様であるので、その説明は省略する。
【０２３６】
すなわち、ステップＳ１５５において、サブフレームにおけるデータ信号が受信されると、ステップＳ１５６において、制御部１５１は、データ処理部１５２を制御して、現在の自らのFPに基づいて、受信環境の改善が必要か否かを判定させる。より詳細には、データ処理部１５２の受信環境判定部３１３が、自らのFPに基づいて、受信環境の改善が必要か否かを判定する。
【０２３７】
ステップＳ１５６において、受信環境の改善が不要であると判定された場合、処理は、ステップＳ１５７に進む。
【０２３８】
ステップＳ１５７において、制御部１５１は、データ処理部１５２を制御して、FPにおける打切りフラグをオフ（打切りフラグ＝0）に設定させる。より詳細には、データ処理部１５２のFP設定部３１１が、FPにおける打切りフラグをオフに設定する。
【０２３９】
ステップＳ１５８において、制御部１５１は、データ処理部１５２を制御して、FPを含む応答信号を送信装置３１に送信させる。より詳細には、データ処理部１５２の応答信号生成部３１２が、FP設定部３１１により設定されたFPを含む応答信号を生成し、送信部１５３を制御して、送信装置３１に送信させる。
【０２４０】
一方、ステップＳ１５６において、受信環境の改善が必要であると判定された場合、処理は、ステップＳ１６０に進む。
【０２４１】
ステップＳ１６０において、制御部１５１は、データ処理部１５２を制御して、FPにおける打切りフラグをオン（打切りフラグ＝1）に設定させる。より詳細には、データ処理部１５２のFP設定部３１１が、FPにおける打切りフラグをオンに設定する。
【０２４２】
ステップＳ１６１において、制御部１５１は、データ処理部１５２を制御して、FPを含む応答信号を送信装置３１に送信させる。より詳細には、データ処理部１５２の応答信号生成部３１２が、FP設定部３１１により設定されたFPを含む応答信号を生成し、送信部１５３を制御して、送信装置３１に送信させる。
【０２４３】
ステップＳ１６２において、制御部１５１は、残りLengthの情報に基づいた時間だけ経過した後、受信部１５５を制御して、サブフレームの受信を打切らせる。
【０２４４】
ステップＳ１６３において、制御部１５１は、受信部１５５を制御して、新プリアンブルを探索するキャリアセンスを開始させる。
【０２４５】
ステップＳ１６４において、制御部１５１は、受信部１５５を制御して、新プリアンブルを受信させる。
【０２４６】
以上の処理により、受信装置１３１が、受信環境の改善の要否を判定し、改善が必要な場合、改善の要求と、サブフレームの受信を打切ることを送信装置３１に通知して、受信環境の改善を実現することが可能となる。
【０２４７】
結果として、第１の実施の形態における、中断フレームも正しく受信できなくなるような状況でも、受信環境の改善を自らで判定して要求することで、自らのタイミングで新プリアンブルが送信されてくるタイミングを認識することができるので、受信装置の受信環境が悪くても、受信環境を改善しつつ、送信パラメータを調整しながら安定した通信を実現することが可能となる。
【０２４８】
＜＜４．ソフトウェアにより実行させる例＞＞
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のコンピュータなどに、記録媒体からインストールされる。
【０２４９】
図１６は、汎用のコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０２５０】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブル記憶媒体１０１１に対してデータを読み書きするドライブ１０１０が接続されている。
【０２５１】
CPU１００１は、ROM１００２に記憶されているプログラム、または磁気ディスク、光ディスク、光磁気ディスク、もしくは半導体メモリ等のリムーバブル記憶媒体１０１１ら読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０２５２】
以上のように構成されるコンピュータでは、CPU１００１が、例えば、記憶部１００８に記憶されているプログラムを、入出力インタフェース１００５及びバス１００４を介して、RAM１００３にロードして実行することにより、上述した一連の処理が行われる。
【０２５３】
コンピュータ（CPU１００１）が実行するプログラムは、例えば、パッケージメディア等としてのリムーバブル記憶媒体１０１１に記録して提供することができる。また、プログラムは、ローカルエリアネットワーク、インターネット、デジタル衛星放送といった、有線または無線の伝送媒体を介して提供することができる。
【０２５４】
コンピュータでは、プログラムは、リムーバブル記憶媒体１０１１をドライブ１０１０に装着することにより、入出力インタフェース１００５を介して、記憶部１００８にインストールすることができる。また、プログラムは、有線または無線の伝送媒体を介して、通信部１００９で受信し、記憶部１００８にインストールすることができる。その他、プログラムは、ROM１００２や記憶部１００８に、あらかじめインストールしておくことができる。
【０２５５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２５６】
尚、図１６におけるCPU１００１が、図３，図４，図１１，図１２における制御部５１，１５１の機能を実現させる。
【０２５７】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２５８】
なお、本開示の実施の形態は、上述した実施の形態に限定されるものではなく、本開示の要旨を逸脱しない範囲において種々の変更が可能である。
【０２５９】
例えば、本開示は、１つの機能をネットワークを介して複数の装置で分担、共同して処理するクラウドコンピューティングの構成をとることができる。
【０２６０】
また、上述のフローチャートで説明した各ステップは、１つの装置で実行する他、複数の装置で分担して実行することができる。
【０２６１】
さらに、１つのステップに複数の処理が含まれる場合には、その１つのステップに含まれる複数の処理は、１つの装置で実行する他、複数の装置で分担して実行することができる。
【０２６２】
尚、本開示は、以下のような構成も取ることができる。
【０２６３】
＜１＞  データ信号を受信装置に送信する送信部と、
前記データ信号を受信した前記受信装置からの応答信号を、前記データ信号を送信すると同時に受信する受信部と、
前記応答信号に基づいて、前記送信部の送信を制御する送信パラメータを調整する制御部とを含み、
前記送信部は、前記制御部により調整された送信パラメータにより制御されて、前記データ信号を前記受信装置に送信する
送信装置。
＜２＞  前記制御部は、前記応答信号に基づいて、前記送信パラメータを調整の要否を判定し、前記送信部の送信を制御する送信パラメータを調整する
＜１＞に記載の送信装置。
＜３＞  前記制御部は、前記応答信号に含まれる受信情報に基づいて、前記送信パラメータを調整の要否を判定する
＜２＞に記載の送信装置。
＜４＞  前記制御部は、前記応答信号が自らに宛てられた応答信号である場合、前記応答信号に含まれる受信情報に基づいて、前記受信装置の受信状況を改善させるように、前記送信パラメータを調整する
＜３＞に記載の送信装置。
＜５＞  前記制御部は、前記応答信号が他のネットワークの送信装置に宛てられた応答信号である場合、前記応答信号に含まれる受信情報に基づいて、前記受信装置への干渉による影響を抑制させるように、前記送信パラメータを調整する
＜３＞に記載の送信装置。
＜６＞  前記制御部は、前記応答信号に含まれる前記受信装置における受信動作を中断の有無を示す通知に基づいて、前記送信パラメータの調整の要否を判定し、前記送信部の送信を制御する送信パラメータを調整する
＜２＞に記載の送信装置。
＜７＞  前記送信部は、前記制御部により調整された送信パラメータにより制御されて、前記データ信号を前記受信装置に送信するとき、前記データ信号の先頭から送信し直す
＜１＞乃至＜６＞のいずれかに記載の送信装置。
＜８＞  前記送信部は、前記制御部により調整された送信パラメータにより制御されて、前記データ信号を前記受信装置に送信する場合、前記受信装置に対して、送信中の前記データ信号の送信を中断した後、前記データ信号の先頭から送信し直す
＜７＞に記載の送信装置。
＜９＞  前記送信部は、前記受信装置に対して、前記送信中の前記データ信号の送信を中断する場合、前記受信装置に対して、前記送信中の前記データ信号の送信を中断することを事前に通知する
＜８＞に記載の送信装置。
＜１０＞  データ信号を受信装置に送信する送信処理と、
前記データ信号を受信した前記受信装置からの応答信号を、前記データ信号を送信すると同時に受信する受信処理と、
前記応答信号に基づいて、前記送信処理の送信を制御する送信パラメータを調整する制御処理とを含み、
前記送信処理は、前記制御処理により調整された送信パラメータにより制御されて、前記データ信号を前記受信装置に送信する
送信方法。
＜１１＞  送信装置から送信されるデータ信号を受信する受信部と、
前記受信部による前記データ信号の受信に対する応答信号を、前記データ信号を受信すると同時に送信する送信部と、
前記受信部は、前記送信装置において、前記応答信号に基づいて、調整された送信パラメータで送信が制御された前記データ信号を受信する
受信装置。
＜１２＞  前記送信部は、前記受信部による前記データ信号の受信に対する応答信号に、前記データ信号が前記受信部において受信されるときの受信情報を含めて、前記データ信号を受信すると同時に送信し、
前記受信部は、前記応答信号に含まれた受信情報に基づいて調整された送信パラメータで送信が制御された前記データ信号を前記送信装置より受信する
＜１１＞に記載の受信装置。
＜１３＞  前記送信部は、前記受信情報として、受信品質、および干渉電力の何れかに係る情報を含む応答信号を送信する
＜１２＞に記載の受信装置。
＜１４＞  前記受信部は、前記データ信号の受信動作を中断させると共に、新たに送信される前記データ信号の先頭部を検索させる
＜１１＞乃至＜１３＞のいずれかに記載の受信装置。
＜１５＞  前記受信部は、前記送信装置からの、前記データ信号の送信動作の中断の通知に基づいて、前記データ信号の受信動作を中断させると共に、新たに送信される前記データ信号の先頭部を検索させる
＜１４＞に記載の受信装置。
＜１６＞  前記受信部は、前記データ信号の受信状況に基づいて、前記データ信号の受信動作を中断させると共に、新たに送信される前記データ信号の先頭部を検索させる
＜１４＞に記載の受信装置。
＜１７＞  前記送信部は、前記データ信号の受信動作の中断の有無を示す情報を受信情報として含めた応答信号を、前記送信装置に対して送信する
＜１６＞に記載の受信装置。
＜１８＞  前記送信部は、前記受信部による前記データ信号の受信に対する応答信号を、前記データ信号を受信すると同時に送信すると共に、定期的に送信する
＜１１＞乃至＜１７＞のいずれかに記載の受信装置。
＜１９＞  送信装置から送信されるデータ信号を受信する受信処理と、
前記受信処理による前記データ信号の受信に対する応答信号を、前記データ信号を受信すると同時に送信する送信処理と、
前記受信処理は、前記送信装置において、前記応答信号に基づいて、調整された送信パラメータで送信が制御された前記データ信号を受信する
受信方法。
＜２０＞  送信装置と受信装置とからなる通信システムにおいて、
前記送信装置は、
データ信号を前記受信装置に送信する第１の送信部と、
前記データ信号を受信した前記受信装置からの応答信号を、前記データ信号を送信すると同時に受信する第１の受信部と、
前記応答信号に基づいて、前記第１の送信部の送信を制御する送信パラメータを調整する制御部とを含み、
前記第１の送信部は、前記制御部により調整された送信パラメータにより制御されて、前記データ信号を前記受信装置に送信し、
前記受信装置は、
前記送信装置から送信されるデータ信号を受信する第２の受信部と、
前記第２の受信部による前記データ信号の受信に対する応答信号を、前記データ信号を受信すると同時に送信する第２の送信部と、
前記第２の受信部は、前記送信装置において、前記応答信号に基づいて、調整された送信パラメータで送信が制御された前記データ信号を受信する
通信システム。
【符号の説明】
【０２６４】
３１  送信装置，  ５１  制御部，  ５２  データ処理部，  ５３  送信部，  ５４  アンテナ共有部，  ５５  受信部，  ５６  自己干渉キャンセラ部，  ５７  アンテナ，  ７１  宛先判定部，  ７２  受信環境判定部，  ７３  プリアンブル生成部，  ７４  サブフレーム生成部，  ７５  与干渉判定部，  １３１  送信装置，  １５１  制御部，  １５２  データ処理部，  １５３  送信部，  １５４  アンテナ共有部，  １５５  受信部，  １５６  自己干渉キャンセラ部，  １５７  アンテナ，  １７１  中断判定部，  １７２  FP設定部，  １７３  応答信号生成部，  ３０１  打切り判定部，  ３１１  FP判定部，  ３１２  応答信号生成部，  ３１３  受信環境判定部
【図１】
2019150982.tif 000003
【図２】
2019150982.tif 000004
【図３】
2019150982.tif 000005
【図４】
2019150982.tif 000006
【図５】
2019150982.tif 000007
【図６】
2019150982.tif 000008
【図７】
2019150982.tif 000009
【図８】
2019150982.tif 000010
【図９】
2019150982.tif 000011
【図１０】
2019150982.tif 000012
【図１１】
2019150982.tif 000013
【図１２】
2019150982.tif 000014
【図１３】
2019150982.tif 000015
【図１４】
2019150982.tif 000016
【図１５】
2019150982.tif 000017
【図１６】
2019150982.tif 000018
【国際調査報告】
2019150982.tif 000019
2019150982.tif 000020
2019150982.tif 000021
2019150982.tif 000022